(57)【要約】【課題】譜面及び楽譜本毎の適切な位置で譜面を支えることができ、楽譜が見えにくくなったりすることがなく、使い易い譜面支持構造を提供することを目的とする。【解決手段】譜面受け部８と、譜面の後面を支える譜面板１０と、譜面の前面を支える左右一対の譜面押さえ部材１１と、譜面押さえ部材１１を収納する収納溝１３ｂと、収納溝１３ｂに設けられ譜面押さえ部材の１１一端を回動するように係合するとともに収納溝１３ｂに沿ってスライドする回転軸１２とを備え、譜面押さえ部材１１は、回転軸１２を介して回動操作されることにより、横向きに倒れて前記収納溝１３ｂ内に収納されるとともに上向きに起立して譜面を支え、且つ、回転軸１２を介して収納溝１３ｂに沿ってスライド操作されることにより、左右方向の位置が移動する。【選択図】  図５
2005017946.tif 000002
【特許請求の範囲】
【請求項１】
譜面の下縁を支える譜面受け部と、該譜面受け部の後方に起立して該譜面の後面を支える譜面板と、該譜面板の前側に起立して該譜面の前面を支える譜面押さえ部材とを備えた譜面支持構造であって、
前記譜面受け部に沿って前記譜面押さえ部材が横向きに倒れて収納される収納溝を備えるとともに、該収納溝内に、該譜面押さえ部材の一端が回動自在に係合する回転軸を備え、
前記収納溝は、前記譜面受け部に沿って、前記回転軸の外周が当接してスライドするスライドレールを備え、
前記譜面押さえ部材は、前記回転軸を中心に横向き及び起立する向きに回動するとともに、該回転軸を介して前記譜面受け部に沿ってスライドする、
ことを特徴とする譜面支持構造。
【請求項２】
前記譜面押さえ部材を前記回転軸に対して所定量の回動する毎に係止する係止手段を備える、
ことを特徴とする請求項１に記載の譜面支持構造。
【請求項３】
前記係止手段は、
前記譜面押さえ部材の一端に前記回転軸を挿通する貫通孔を備えるとともに、該貫通孔の内面に沿って複数の凹凸を備え、
前記回転軸の外周面に、前記譜面押さえ部材が回動して前記複数の凹凸に係合する突起を備える、
ことを特徴とする請求項２に記載の譜面支持構造。
【請求項４】
前記収納溝に沿って、前記回転軸を所定量のスライドする毎に係止する第２の係止手段を備える、
ことを特徴とする請求項１乃至請求項３の何れか記載の譜面支持構造。
【請求項５】
前記第２の係止手段は、前記スライドレールに沿って、該回転軸の外周が係合する複数の凹部を備える、
ことを特徴とする請求項４に記載の譜面支持構造。
【発明の詳細な説明】
【０００１】
【発明の属する技術分野】
本発明は、ピアノやオルガンなどの鍵盤楽器の譜面支持構造に関する。
【０００２】
【従来の技術】
従来、ピアノやオルガンなどの鍵盤楽器には、演奏者が見易い位置に譜面を立て掛けるための譜面支持構造が設けられている。譜面支持構造は、楽器筐体の一部を構成する天板上に、譜面の下縁を支えるための譜面受け部と、この譜面受け部の後方に傾斜するように起立して譜面の後面を支えるための譜面板とを備えている。
【０００３】
また、このような譜面支持構造において、複数の譜面が綴じられた楽譜本を開いて演奏しようとする際に、楽譜本を前側から支える手段がないと譜面が捲れ上がり見えにくくなる虞があるので、楽譜本を前側から支えるための譜面押さえ部材を備えたものがある。例えば、譜面受け部に回動自在に支持された左右一対の譜面押さえ部材を備え、回動操作により、譜面押さえ部材を横向きに倒して譜面受け部に横向きに収納したり、譜面押さえ部材を起立させて楽譜本を前側から支えたりする譜面支持構造がある（例えば、特許文献１参照）。
【０００４】
【特許文献１】
特開平２００２−２５８８３２号公報（第３−６頁、第１−７図）
【０００５】
【発明が解決しようとする課題】
しかしながら、特許文献１に開示された譜面支持構造によれば、左右一対の譜面押さえ部材が、譜面受け部の所定位置に支持されて、それぞれの支持部の位置を移動させることができないので、譜面及び楽譜本の種々のサイズや形状に対して、譜面及び楽譜本毎の適切な位置に支持部を移動させて譜面を支えることができず、譜面押さえ部材が楽譜に重なって楽譜が見えにくくなったり、譜面が捲れ上がって楽譜が見えにくくなったりする虞があった。
【０００６】
本発明は、こうした問題に鑑みてなされたものであり、譜面及び楽譜本の前面を支える譜面押さえ部材が、譜面及び楽譜本の種々のサイズや形状に対して、譜面及び楽譜本毎の適切な位置で支えることができ、譜面押さえ部材が楽譜に重なって楽譜が見えにくくなったり、譜面が捲れ上がって楽譜が見えにくくなったりすることがなく、譜面及び楽譜本を支える位置を自在に移動でき使い易い譜面支持構造を提供することを目的とする。
【０００７】
【課題を解決するための手段及び発明の効果】
かかる目的を達成するためになされた請求項１記載の発明は、譜面の下縁を支える譜面受け部と、該譜面受け部の後方に起立して該譜面の後面を支える譜面板と、該譜面板の前側に起立して該譜面の前面を支える譜面押さえ部材とを備えた譜面支持構造であって、前記譜面受け部に沿って前記譜面押さえ部材が横向きに倒れて収納される収納溝を備えるとともに、該収納溝内に、該譜面押さえ部材の一端が回動自在に係合する回転軸を備え、前記収納溝は、前記譜面受け部に沿って、前記回転軸の外周が当接してスライドするスライドレールを備え、前記譜面押さえ部材は、前記回転軸を中心に横向き及び起立する向きに回動するとともに、該回転軸を介して前記譜面受け部に沿ってスライドすることを特徴とする。
【０００８】
請求項１に記載の譜面支持構造によれば、譜面受け部に沿って譜面押さえ部材が横向きに倒れて収納される収納溝を備えるとともに、収納溝内に、譜面押さえ部材の一端が回動自在に係合する回転軸を備え、収納溝は、譜面受け部に沿って、回転軸の外周が当接してスライドするスライドレールを備え、譜面押さえ部材は、回転軸を中心に横向き及び起立する向きに回動するとともに、回転軸を介して譜面受け部に沿ってスライドするので、譜面及び楽譜本の種々のサイズや形状に対して、譜面及び楽譜本毎の適切な位置で支えることができ、譜面押さえ部材が楽譜に重なって楽譜が見えにくくなったり、譜面が捲れ上がって楽譜が見えにくくなったりすることがなく、譜面及び楽譜本を支える位置を自在に移動でき使い易いものとなる。
【０００９】
次に、請求項２に記載の発明は、請求項１に記載の譜面支持構造において、前記譜面押さえ部材を前記回転軸に対して所定量の回動する毎に係止する係止手段を備えることを特徴とする。
請求項２に記載の譜面支持構造によれば、譜面押さえ部材を前記回転軸に対して所定量の回動する毎に係止する係止手段を備えているので、譜面及び楽譜本のサイズや形状に合わせ、譜面押さえ部材を回動させて最も好ましい位置で係止させ、安定して支えることができる。
【００１０】
また、請求項２に記載の譜面支持構造は、請求項３に記載の発明のように、前記係止手段は、前記譜面押さえ部材の一端に前記回転軸を挿通する貫通孔を備えるとともに、該貫通孔の内面に沿って複数の凹凸を備え、前記回転軸の外周面に、前記譜面押さえ部材が回動して前記複数の凹凸に係合する突起を備えることにより、譜面押さえ部材が所定量分だけ回動する毎に、貫通孔内の凹凸に回転軸の突起が係合して回動を抑制する抵抗が増加し、譜面押さえ部材を係止できる。
【００１１】
次に、請求項４に記載の発明は、請求項１乃至請求項３の何れか記載の譜面支持構造において、記収納溝に沿って、前記回転軸を所定量のスライドする毎に係止する第２の係止手段を備えることを特徴とする。
請求項４に記載の譜面支持構造によれば、前記収納溝に沿って、前記回転軸を所定量のスライドする毎に係止する第２の係止手段を備えているので、譜面及び楽譜本のサイズや形状に合わせ、譜面押さえ部材をスライドさせて最も好ましい位置で係止させ、安定して支えることができる。
【００１２】
また、請求項４に記載の譜面支持構造は、請求項５に記載の発明のように、前記第２の係止手段は、前記スライドレールに沿って、該回転軸の外周が係合する複数の凹部を備えることにより、譜面押さえ部材が収納溝に沿って所定量のスライドする毎に、回転軸外周の一部がスライドレールの凹部に係合し、スライドを抑制する抵抗が増加し、譜面押さえ部材を係止できる。
【００１３】
【発明の実施の形態】
以下、本発明の実施形態を図面と共に説明する。図１は、本発明が適用された実施形態の鍵盤楽器における譜面支持構造の構成を表す外観図、図２は同譜面支持構造を構成する譜面押さえ組み立てユニットの構成を表す分解斜視図、図３は同譜面押さえ組み立てユニットにおける譜面押さえ部材と回転軸の係合を表す外観斜視図、図４は同譜面押さえ組み立てユニットの組み立て後の構造を表す断面図であって、（ａ）図は図２におけるＸ方向から見た断面図、（ｂ）図は、（ａ）図におけるＡ−Ａ断面図、図５は譜面支持構造の操作を表す説明図である。
【００１４】
図１に表したように、この鍵盤楽器１は、両脚部２が取り付けられた棚板３上の前側（演奏者から見て手前を「前」、先方を「後」として説明する。）に、鍵盤５、操作パネル６等を備えた演奏部４を有し、演奏部４の後方には、譜面を立て掛けるための譜面支持構造７が設けられている。
【００１５】
譜面支持構造７は、譜面の下縁を支える譜面受け部８と、譜面受け部８の後方に傾斜して起立し譜面の後面を支える譜面板１０と、譜面板１０の前側に起立して譜面の前面を支える左右一対の譜面押さえ部材１１と、譜面受け部８に沿って備えられ譜面押さえ部材１１を収納する収納溝１３ｂとを備えている。
【００１６】
また、譜面支持構造７は、図２に表した譜面押さえ組み立てユニット２０が組み立てられて、図３に表したように天板９の下方に装着される。
譜面押さえ組み立てユニット２０は、図２に表したように、一端側１１ａに貫通孔１１ｄを備えるとともに他端側１１ｂに譜面押部１１ｃを備えた棒状の譜面押さえ部材１１、譜面押さえ部材１１の貫通孔１１ｄに挿通されて回動自在に係合する円柱部１２ａを備えた回転軸１２、譜面押さえ部材１１を収納するとともに、譜面押さえ部材１１及び回転軸１２を譜面受け部８に沿って左右にスライドさせるように支持し、互いに嵌合する上ケース１３及び下ケース１４等により構成される。
【００１７】
上ケース１３は、図２に表したように、下方に開口した開口穴１３ａと、この開口穴１３ａに連なって上方に開口した収納溝１３ｂとを備え、開口穴１３ａから、互いに係合した回転軸１２と譜面押さえ部材１１を挿入できるように構成されるとともに、下ケース１４を開口穴１３ａ内に嵌合できるように構成されている。又、上ケース１３は、上面の両端に一対の取り付け孔１３ｄを備え、下ケース１４に備えられた取り付け孔１４ｄと重なり合い、ネジ１７によってネジ止めされる。
【００１８】
次に、下ケース１４は、図２に表したように、上方に開口した開口穴１４ａと、上ケース１４に備えられた取り付け孔１３ｄと重なり合う一対の取り付け孔１４ｄを備えている。また、開口穴１４ａ内に、側壁から突き出して底壁１４ｇが備えられ、底壁１４ｇの上面に、回転軸１２における円柱部１２ａの外周と係合する凹部１４ｊが所定ピッチで複数備えられている。
【００１９】
また、図５に表したように、複数の凹部１４ｊのうち最も外側に備えられた凹部１４ｊは、この位置で譜面押さえ部材１１を横向きに倒した（Ｓ１のように譜面押さえ部材１１を横向きに倒した）ときに、譜面押部１１ｃの先端部が収納溝１３ｂの内壁に僅かに隙間を空けて収納されるように形成されている。
【００２０】
また、下ケース１４は、譜面押さえ部材１１が収納溝１３ｂに収納される際に、譜面押部１１ｃが下ケース１４の上面に当接し、譜面押部１１ｃの一部が収納溝１３ｂの上方に飛び出すように構成されている。
次に、図３に表したように、譜面押さえ部材１１には貫通孔１１ｄの内面に沿って複数の凹凸１１ｅが形成されるとともに、回転軸１２には円柱部１２ａの外周面に凹凸１１ｅに係合する突起１２ｂが形成されている。これにより、譜面押さえ部材１１及び回転軸１２は、譜面押さえ部材１１が回転軸１２を介して回動し、その回動に伴って突起１２ｂが順次複数の凹凸１１ｅに係合し、回動を抑制するように抵抗が増加して係止されるように構成されている。尚、譜面押さえ部材１１における貫通孔１１ｄの内面に沿って形成された複数の凹凸１１ｅと回転軸１２における円柱部１２ａの外周面に形成された突起１２ｂによって、本発明の係止手段の機能が発現される。
【００２１】
また、回転軸１２は、円柱部１２ａ軸方向の寸法ｔ２が、譜面押さえ部材１１の厚みｔ１より大きく、円柱部１２ａの両端外周面１２ｄが譜面押さえ部材１１の両端面１１ｆより外側に突き出すように係合される。
そして、図４（ａ）（ｂ）に表したように、回転軸１２は、上ケース１３と下ケース１４との内部に収納されると、譜面押さえ部材１１の両端面１１ｆより突き出した円柱部１２ａの両端外周面１２ｄが、上ケース１３の開口穴１３ａ内の底壁１３ｇと下ケース１４の開口穴１４ａ内の底壁１４ｇとの間に挿入され、底壁１３ｇ、１４ｇに沿って、スライド自在に支持される。
【００２２】
これにより、回転軸１２は、上ケース１３の底壁１３ｇと下ケース１４の底壁１４ｇに沿って円柱部１２ａの外周面がスライドし、譜面押さえ部材１１は、回転軸１２を介して収納溝１３ｂに沿ってスライドできるように構成される。尚、上ケース１３の底壁１３ｇと下ケース１４の底壁１４ｇによって、本発明のスライドレールの機能が発現される。
【００２３】
また、回転軸１２は、円柱部１２ａの両縁から延出して方形状の支軸部１２ｃを備えている。
そして、図４（ａ）（ｂ）に表したように、回転軸１２は、上ケース１３と下ケース１４との内部に収納されると、円柱部１２ａの両縁部から延出して方形状の支軸部１２ｃが、上ケース１３の開口穴１３ａ内の底壁１３ｈと下ケース１４の上面１４ｈとの間に挿入され、スライド自在に支持されるとともに回転軸１２が回転しないように支持される。
【００２４】
また、図４（ｂ）に表したように、下ケース１４の底壁１４ｇには、所定のピッチ毎に、回転軸１２における円柱部１２ａの外周の一部が係合する凹部１４ｊが備えられている。これにより、回転軸１２は、底壁１３ｇ及び底壁１４ｇに沿ってスライドし、そのスライドに伴って円柱部１２ａ外周の一部が順次複数の凹部１４ｊに係合し、スライドを抑制する抵抗が増加して係止されるように構成されている。尚、下ケース１４の底壁１４ｇに備えられた凹部１４ｊと、回転軸１２に備えられた円柱部１２ａによって、本発明の第２の係止手段の機能が発現される。
【００２５】
次に、図５に基づいて、譜面押さえ部材１１を横向きにし収納溝１３ｂに収納する操作と、譜面及び楽譜本を支えるために譜面押さえ部材１１を所定位置に起立させる操作について説明する。尚、図５において、Ｓ１は譜面押さえ部材１１が収納溝１３ｂに収納された状態を表し、Ｓ３は起立して譜面を押さえる状態を表している。
【００２６】
Ｓ３の位置で起立した譜面押さえ部材１１を収納溝１３ｂ内に収納する際には、先ず、譜面押さえ部材１１を把持し、収納溝１３ｂに沿って、回転軸１２を最も外側に配設された凹部１４ｊの位置（図中のＳ２の位置である）までＷＬ方向にスライドさせ、この凹部１４ｊに係合させる。次いで、この位置（図中のＳ２の位置）で回転軸１２を中心に譜面押さえ部材１１をＬ方向に回動させて横向きに倒し収納溝１３ｂ内に収納すればよい。このとき、譜面押部１１ｃが下ケース１４の上面１４ｇに当接し、譜面押部１１ｃの一部が収納溝１３ｂの上方に飛び出すように収納される。
【００２７】
一方、Ｓ３の位置で収納溝１３ｂに収納された譜面押さえ部材１１を所定の位置に起立させる際には、先ず、Ｓ３の位置で譜面押さえ部材１１を、収納溝１３ｂの上端面より飛び出している譜面押部１１ｃを把持し、Ｒ方向に回動させて起立させる。次いで、譜面及び楽譜本のサイズや形状に合わせ、譜面押さえ部材１１をＷＲ方向にスライドさせて回転軸１２を凹部１４ｊに係止させるとともにＲ方向又はＬ方向に回動させ、譜面押部１１ｃを好ましい位置に設置すればよい。
【００２８】
以下に、前記の構成を有する実施形態の譜面支持構造７の作用効果を記載する。
実施形態の譜面支持構造７によれば、譜面受け部８に沿って譜面押さえ部材１１が横向きに倒れて収納される収納溝１３ｂと、収納溝１３ｂ内に、譜面押さえ部材１１の一端が回動するように係合されるとともに収納溝１３ｂに沿ってスライドする回転軸１２とを備え、譜面押さえ部材１１は、回転軸１２を介して回動操作されることにより、横向きに倒れて収納溝１３ｂ内に収納されるとともに上向きに起立して譜面を支え、且つ、回転軸１２を介して収納溝１３ｂに沿ってスライド操作されることにより、左右方向の位置を移動するように構成されているので、譜面及び楽譜本毎の適切な位置で譜面及び楽譜本を支えることができ、譜面押さえ部材１１が楽譜に重なって楽譜が見えにくくなったり譜面が捲れ上がって楽譜が見えにくくなったりすることがなく、譜面押さえ部材１１を自在に移動できて使い易いものとなる。
【００２９】
また、実施形態の譜面支持構造７によれば、譜前記譜面押さえ部材１１の一端側１１ａに回転軸１２が挿通される貫通孔１１ｄが形成されて、貫通孔１１ｄの内面に沿って複数の凹凸１１ｅが備えられ、回転軸１２の外周面に凹凸１１ｅに係合する突起１２ｂが備えられているので、譜面及び楽譜本のサイズや形状に合わせ、譜面押さえ部材１１を最も好ましい位置に回動させて係止させることができる。
【００３０】
また、上ケース１３の底壁１３ｇ及び下ケース１４の底壁１４ｇによって、回転軸１２がスライドするスライドレールが構成され、下ケース１４の底壁１４ｇに所定のピッチ毎に回転軸１２外周の一部が係合する凹部１４ｊを備えているので、譜面押さえ部材１１を所定量分だけスライドする毎に、回転軸１２を凹部１４ｊに係止でき、譜面押さえ部材１１を譜面及び楽譜本のサイズや形状に合わせて、最も好ましい位置で係止させることができる。
【００３１】
以上、本発明の実施形態について説明したが、本発明は、上述した実施形態に限定されるものではなく、種々の態様を取ることができる。
例えば、本実施形態の譜面支持構造７は、左右一対の譜面押さえ部材１１及び回転軸１２を共通の上ケース１３及び下ケース１４内に収納したが、それぞれ、相異なる上ケース１３及び下ケース１４内に収納させ、鍵盤楽器１の好ましい位置に設置してもよい。
【００３２】
また、譜面押さえ部材１１を所定の回動量毎に係止させるために、貫通孔１１ｄの内面に沿って複数の凹凸１１ｅを備え、回転軸１２の外周面に凹凸１１ｅに係合する突起１２ｂが備えたが、貫通孔１１ｄの内面に沿って凹凸１１ｅを備える代わりに、譜面押さえ部材１１と回転軸１２との間に、譜面押さえ部材１１が所定量回動する毎に係合したり係合が解除されたりする、例えばスプリングを備えてもよい。
【００３３】
また、譜面押さえ部材１１を所定量のスライド毎に係止させるために、下ケース１４の底壁１４ｇに所定のピッチ毎に回転軸１２外周の一部が係合する凹部１４ｊを備えたが、凹部１４ｊを備える代わりに、回転軸１２と上ケース及び下ケースとの間に、回転軸１２が所定量スライドする毎に係合したり係合が解除されたりする、例えばスプリングを備えてもよい。
【００３４】
また、譜面押さえ部材１１は、楽譜と重なって楽譜が見えにくくならないように、ガラスや透明な樹脂などの透光性材料を用いて形成してもよい。
また、譜面押さえ部材１１は、略ストレートの棒状に形成されたものを用いたが、一端側１１ａから他端側１１ｂに湾曲させてもよい。又、譜面押部１１ｃのは、譜面を支えることができて操作性の良い種々の形状を選択してもよい。
【図面の簡単な説明】
【図１】本発明が適用された実施形態の鍵盤楽器における譜面支持構造の構成を表す外観図である。
【図２】同譜面支持構造を構成する譜面押さえ組み立てユニットの構成を表す分解斜視図である。
【図３】同譜面押さえ組み立てユニットにおける譜面押さえ部材と回転軸の係合を表す外観斜視図である。
【図４】同譜面押さえ組み立てユニットの組み立て後の構造を表す断面図であって、（ａ）図は図２におけるＸ方向から見た断面図、（ｂ）図は（ａ）図におけるＡ−Ａ断面図である。
【図５】同譜面立て構造の操作を表す説明図である。
【符号の説明】
１…鍵盤楽器、２…両脚部、３…棚板、４…演奏部、５…鍵盤、６…操作パネル、７…譜面支持構造、８…譜面受け部、９…天板、１０…譜面板、１１…譜面押さえ部材、１１ａ…一端側、１１ｂ…他端側、１１ｃ…譜面押部、１１ｄ…貫通孔、１１ｅ…凹凸、１２…回転軸、１２ａ…円柱部、１２ｂ…突起、１２ｃ…支軸部、１３…上ケース、１３ａ…開口穴、１３ｂ…収納溝、１３ｄ，１４ｄ…取り付け孔、１３ｇ，１３ｈ，１４ｇ…底壁、１４…下ケース、１４ａ…開口穴、１４ｈ…上面、１４ｊ…凹部、１７…ネジ、２０…譜面押さえ組み立てユニット。
【図１】
2005017946.tif 000003
【図２】
2005017946.tif 000004
【図３】
2005017946.tif 000005
【図４】
2005017946.tif 000006
【図５】
2005017946.tif 000007